(57)【要約】【課題】電波式のリモコンとの電波通信を適切に行えるようにしつつ、不要なペアリングを抑制できる浴室システムを提供する。【解決手段】金属を含む壁によって構成される浴室又は洗面所に設けられる浴室機器と、浴室機器を動作させるための制御信号を送信する電波式の遠隔リモコンと、浴室の外側に設けられ、遠隔リモコンからの制御信号を受信する受信部と、受信部から制御信号を受け、遠隔リモコンからの制御信号に基づいて浴室機器の動作を制御する制御部と、制御部と有線接続される有線リモコンと、を備え、遠隔リモコンは、ペアリングを行うためのペアリング信号を送信可能であり、制御部は、受信部が遠隔リモコンからのペアリング信号を受信した際に、有線リモコンにペアリングを認可するか否かを報知させることを特徴とする浴室システムである。【選択図】図１
2020017852.tif 000002
【特許請求の範囲】
【請求項１】
金属を含む壁によって構成される浴室又は洗面所に設けられる浴室機器と、
前記浴室機器を動作させるための制御信号を送信する電波式の遠隔リモコンと、
前記浴室の外側に設けられ、前記遠隔リモコンからの前記制御信号を受信する受信部と、
前記受信部から前記制御信号を受け、前記遠隔リモコンからの前記制御信号に基づいて前記浴室機器の動作を制御する制御部と、
前記制御部と有線接続される有線リモコンと、
を備え、
前記遠隔リモコンは、ペアリングを行うためのペアリング信号を送信可能であり、
前記制御部は、前記受信部が前記遠隔リモコンからの前記ペアリング信号を受信した際に、前記有線リモコンにペアリングを認可するか否かを報知させることを特徴とする浴室システム。
【請求項２】
前記制御部は、前記有線リモコンに前記報知を行わせた後、前記有線リモコンの操作に応じてペアリングの可否を決定することを特徴とする請求項１記載の浴室システム。
【請求項３】
前記制御部は、受信した前記ペアリング信号の電波強度が所定の基準閾値よりも高い場合に、前記有線リモコンにペアリングを認可するか否かを報知させることを特徴とする請求項１又は２に記載の浴室システム。
【請求項４】
前記制御部は、前記有線リモコンの操作によってペアリングを拒否した前記ペアリング信号を連続して複数回受信した場合に、前記基準閾値よりも高い上側閾値に変更することを特徴とする請求項３記載の浴室システム。
【請求項５】
前記制御部は、前記基準閾値よりも低い電波強度の前記ペアリング信号を同じ前記遠隔リモコンから連続して複数回受信した場合に、前記基準閾値よりも低い下側閾値に変更することを特徴する請求項３又は４に記載の浴室システム。
【請求項６】
前記制御部は、前記基準閾値及び前記上側閾値の値を、前記有線リモコンの操作に応じて変更可能であることを特徴とする請求項４記載の浴室システム。
【請求項７】
前記制御部は、前記基準閾値及び前記下側閾値の値を、前記有線リモコンの操作に応じて変更可能であることを特徴とする請求項５記載の浴室システム。
【発明の詳細な説明】
【技術分野】
【０００１】
本発明の態様は、一般的に、浴室システムに関する。
【背景技術】
【０００２】
入浴行為の際に、洗面所と浴室内との温度差によって、使用者の血圧が大きく変動し、使用者が心筋梗塞や脳梗塞などを起こしてしまうことがある。こうした温度差に起因する身体への影響は、例えば、ヒートショックと呼ばれており、ヒートショックを抑制するための技術の開発が行われている。
【０００３】
ヒートショックを抑制するための対策の一例としては、浴室近傍に設けられている浴室機器（暖房装置など）のリモコンを操作して、事前に温度差を低下させることが考えられるが、リビングなどにいる使用者が、その度に浴室や洗面所にリモコンを操作しに行くのは使い勝手が悪い。そこで、リビングなどから浴室機器を操作することができるリモコンが望まれている。さらに、使いやすさを考えると、手持ち式のリモコンが望ましい。
【０００４】
例えば、特許文献１では、赤外線式のリモコンによってリビングなどから浴室機器を操作できるようにしている。しかしながら、特許文献１の技術では、壁などを透過しない赤外線式であるため、リビングなどにリモコンの受信機を配置しなければならない。例えば、受信機をリビングなどから浴室や洗面所などまで配線しなければならず、設置に手間がかかってしまう。そのため、通信方式としては、壁などを透過可能な電波式が望ましい。
【０００５】
しかしながら、浴室の壁には、金属（鋼板）が用いられている場合がある。このため、電波式のリモコンからの信号を受信する受信部を浴室内に設置すると、電波での通信ができなくなってしまう可能性がある。従って、受信部は、どの部屋からもリモコンの電波が届くように浴室の外側に設置する必要がある。受信部の設置場所としては、スペース確保の容易性やメンテナンスの容易性などから、例えば、浴室天井の上が望ましい。
【０００６】
受信部は、受信した信号を浴室機器の制御部に入力する。制御部は、入力された信号に応じて浴室機器の動作を制御する。これにより、リモコンとの電波通信を介して浴室機器の動作が操作される。
【０００７】
電波通信を介する浴室機器の操作を適切に行うためには、隣家などから送信された不要な信号による誤動作を抑制するために、制御部とリモコンとを関連付けるペアリングを行う必要がある。しかしながら、浴室天井の上などに受信部を設置した場合には、ペアリングにおいても、不要な信号を遮断することができない。このため、誤って不要なペアリング信号を検知して意図しない機器とペアリングしてしまい、誤動作を起こしてしまう可能性がある。このため、浴室システムでは、電波式のリモコンとの電波通信を適切に行えるようにしつつ、不要なペアリングを抑制できるようにすることが望まれる。
【先行技術文献】
【特許文献】
【０００８】
【特許文献１】特開２００７−１８７３３９号公報
【発明の概要】
【発明が解決しようとする課題】
【０００９】
本発明は、かかる課題の認識に基づいてなされたものであり、電波式のリモコンとの電波通信を適切に行えるようにしつつ、不要なペアリングを抑制できる浴室システムを提供することを目的とする。
【課題を解決するための手段】
【００１０】
第１の発明は、金属を含む壁によって構成される浴室又は洗面所に設けられる浴室機器と、前記浴室機器を動作させるための制御信号を送信する電波式の遠隔リモコンと、前記浴室の外側に設けられ、前記遠隔リモコンからの前記制御信号を受信する受信部と、前記受信部から前記制御信号を受け、前記遠隔リモコンからの前記制御信号に基づいて前記浴室機器の動作を制御する制御部と、前記制御部と有線接続される有線リモコンと、を備え、前記遠隔リモコンは、ペアリングを行うためのペアリング信号を送信可能であり、前記制御部は、前記受信部が前記遠隔リモコンからの前記ペアリング信号を受信した際に、前記有線リモコンにペアリングを認可するか否かを報知させることを特徴とする浴室システムである。
【００１１】
この浴室システムによれば、制御部が、受信部が遠隔リモコンからのペアリング信号を受信した際に、有線リモコンにペアリングを認可するか否かを報知させることにより、意図しない遠隔リモコンなどとのペアリングを抑制でき、所望の遠隔リモコンとのペアリングを確実に行うことができる。
【００１２】
第２の発明は、第１の発明において、前記制御部は、前記有線リモコンに前記報知を行わせた後、前記有線リモコンの操作に応じてペアリングの可否を決定することを特徴とする浴室システムである。
【００１３】
この浴室システムによれば、有線リモコンの操作に応じてペアリングの可否を決定することにより、意図しない遠隔リモコンなどとのペアリングをより確実に抑制することができる。
【００１４】
第３の発明は、第１又は第２の発明において、前記制御部は、受信した前記ペアリング信号の電波強度が所定の基準閾値よりも高い場合に、前記有線リモコンにペアリングを認可するか否かを報知させることを特徴とする浴室システムである。
【００１５】
この浴室システムによれば、電波強度の弱いペアリング信号による意図しないペアリングを抑制でき、所望の遠隔リモコンとのペアリングをより確実に行うことができる。
【００１６】
第４の発明は、第３の発明において、前記制御部は、前記有線リモコンの操作によってペアリングを拒否した前記ペアリング信号を連続して複数回受信した場合に、前記基準閾値よりも高い上側閾値に変更することを特徴とする浴室システムである。
【００１７】
電波強度が基準閾値を超えた場合に、ペアリングを認可するか否かを報知するが、ペアリングすべきではない遠隔リモコンの結果を報知し、使用者に拒否させることは、使用者の手間になってしまう。この浴室システムによれば、有線リモコンの操作によってペアリングを拒否したペアリング信号を連続して複数回受信した場合に、基準閾値よりも高い上側閾値に変更することにより、使用者に拒否の操作をさせる手間を抑制することができる。
【００１８】
第５の発明は、第３又は第４の発明において、前記制御部は、前記基準閾値よりも低い電波強度の前記ペアリング信号を同じ前記遠隔リモコンから連続して複数回受信した場合に、前記基準閾値よりも低い下側閾値に変更することを特徴する浴室システムである。
【００１９】
遠隔リモコンの電波強度は、使用環境に依存する。そのため、遠隔リモコンの電波強度が基準閾値を超えない環境である可能性も考えられる。この浴室システムによれば、基準閾値よりも低い電波強度のペアリング信号を同じ遠隔リモコンから連続して複数回受信した場合に、基準閾値よりも低い下側閾値に変更することにより、ペアリングしたいのにペアリングできない状態が継続されてしまうことを抑制することができる。
【００２０】
第６の発明は、第４の発明において、前記制御部は、前記基準閾値及び前記上側閾値の値を、前記有線リモコンの操作に応じて変更可能であることを特徴とする浴室システムである。
【００２１】
この浴室システムによれば、基準閾値及び上側閾値を変更可能とすることで、使用者に拒否の操作をさせる手間をより確実に抑制することができる。
【００２２】
第７の発明は、第５の発明において、前記制御部は、前記基準閾値及び前記下側閾値の値を、前記有線リモコンの操作に応じて変更可能であることを特徴とする浴室システムである。
【００２３】
この浴室システムによれば、基準閾値及び下側閾値を変更可能とすることで、ペアリングしたいのにペアリングできない状態が継続されてしまうことをより確実に抑制することができる。
【発明の効果】
【００２４】
本発明の態様によれば、電波式のリモコンとの電波通信を適切に行えるようにしつつ、不要なペアリングを抑制できる浴室システムが提供される。
【図面の簡単な説明】
【００２５】
【図１】第１の実施形態に係る浴室システムを模式的に表す斜視図である。
【図２】第１の実施形態に係る浴室システムを模式的に表すブロック図である。
【図３】第１の実施形態に係る浴室システムの動作を模式的に表すフローチャートである。
【図４】第２の実施形態に係る浴室システムの動作を模式的に表すフローチャートである。
【図５】第３の実施形態に係る浴室システムの動作を模式的に表すフローチャートである。
【図６】第４の実施形態に係る浴室システムの動作を模式的に表すフローチャートである。
【図７】第５の実施形態に係る浴室システムを模式的に表すブロック図である。
【発明を実施するための形態】
【００２６】
以下、本発明の実施の形態について図面を参照しつつ説明する。なお、各図面中、同様の構成要素には同一の符号を付して詳細な説明は適宜省略する。
【００２７】
（第１の実施形態）  
図１は、第１の実施形態に係る浴室システムを模式的に表す斜視図である。  
図２は、第１の実施形態に係る浴室システムを模式的に表すブロック図である。  
図１及び図２に表したように、浴室システム１０は、浴室機器１２と、遠隔リモコン１４と、受信部１６と、制御部１８と、有線リモコン２０と、を備える。
【００２８】
浴室機器１２は、金属を含む壁によって構成される浴室２又は洗面所４に設けられる。浴室システム１０は、例えば、複数の浴室機器１２を備える。但し、浴室システム１０に設けられる浴室機器１２の数は、複数に限ることなく、１つでもよい。
【００２９】
浴室２は、建築の浴室部６に設けられる。浴室２の天井には、天井裏（浴室２と浴室部６の天井面との間の空間）に通じる点検口２ａが設けられている。浴室２は、例えば、浴槽、洗い場床、壁パネル、及び天井パネルなどをユニット化した、いわゆるユニットバスやシステムバスである。浴室２では、例えば、壁パネルや天井パネルに鋼板が用いられる。このため、浴室２の内部の空間は、金属によって覆われる。洗面所４は、浴室部６に隣接する建築の洗面室部８に設けられる。洗面所４は、例えば、脱衣所であってもよい。
【００３０】
浴室システム１０は、例えば、浴室空調機器３０、掃除機器３１、給湯器３２、浴槽の排水栓３３、浴室２の照明３４、マッサージ機器３５、及び洗面所空調機器３６などを浴室機器１２として有する。また、図１では、便宜的に洗面所空調機器３６のみを浴室機器１２の一例として図示している。
【００３１】
浴室空調機器３０は、例えば、浴室２の天井に設けられる。浴室空調機器３０は、温風を吹き出して浴室２内を暖める暖房機能、風（例えば温風）を吹き出して浴室２内に吊るされた衣類等を乾燥させる乾燥機能、及び、浴室２内を換気する換気機能、の少なくともいずれかを有する。浴室空調機器３０は、例えば浴室換気暖房乾燥機である。浴室空調機器３０は、換気扇でもよい。
【００３２】
掃除機器３１は、浴室２の内部に設けられる。掃除機器３１は、例えば、浴槽の内壁に洗剤や水（湯）を散布する機器である。または、掃除機器３１は、浴室２の床（洗い場）に水や除菌水等を散布する機器でもよい。
【００３３】
給湯器３２は、例えば浴室２の外部に設けられ、浴槽や浴室２内の水栓装置に湯を供給する。排水栓３３は、浴槽に設けられる。排水栓３３が開くことで、浴槽内の水や湯が排出される。照明３４は、例えば、浴室２の天井や壁面等に設けられる照明である。
【００３４】
マッサージ機器３５は、例えば浴槽に設けられ、浴槽内の水（湯）に泡を発生させる気泡発生装置である。または、マッサージ機器３５は、浴槽内に水流を発生させる水流発生装置である。
【００３５】
洗面所空調機器３６は、例えば、洗面所４の壁面の上部に設けられる。洗面所空調機器３６は、例えば、温風を吹き出して洗面所４内を暖める暖房機能、涼風を吹き出す涼風機能、及び温風を吹き出して髪などを乾かし易くするドライヤ機能の少なくともいずれかを有する。洗面所空調機器３６は、例えば、換気扇でもよい。
【００３６】
但し、浴室機器１２は、これらに限ることなく、浴室２又は洗面所４に設けられる任意の機器でよい。浴室機器１２は、例えば、浴槽内の使用者の肩に向けて湯を吐出する吐水装置（肩湯装置）などであってもよい。
【００３７】
遠隔リモコン１４は、各浴室機器１２を動作させるための制御信号を送信する電波式のリモコンである。遠隔リモコン１４は、使用者などからの操作を受け付けるための操作部４０を有する。使用者は、遠隔リモコン１４の操作部４０を操作することにより、各浴室機器１２の動作を操作することができる。操作部４０は、複数のボタンやスイッチなどで構成してもよいし、タッチパネルなどで構成してもよい。操作部４０は、各浴室機器１２の種々の動作を制御可能な任意の構成でよい。
【００３８】
浴室機器１２が複数設けられた場合、遠隔リモコン１４は、複数の浴室機器１２の少なくともいずれかを動作させる。遠隔リモコン１４は、各浴室機器１２のそれぞれの動作を操作できるようにしてもよい。浴室システム１０は、各浴室機器１２に対応した複数の遠隔リモコン１４を有してもよい。
【００３９】
遠隔リモコン１４は、例えば浴室２の外部で用いられる。遠隔リモコン１４は、例えば、リビングルームやキッチンで用いられる。これにより、リビングやキッチンなどの外部の部屋から各浴室機器１２の動作を操作することができる。浴室システム１０では、例えば、使用者が、リビングルームなどから遠隔リモコン１４を操作することにより、浴室空調機器３０及び洗面所空調機器３６を動作させる。これにより、使用者に浴室２や洗面所４に逐一向かわせる手間をかけさせることなく、温度差を低下させることができる。なお、遠隔リモコン１４は、持ち運び可能であってもよいし、浴室２の外部の部屋などに設置してもよい。
【００４０】
受信部１６は、浴室２の外側に設けられ、遠隔リモコン１４からの制御信号を受信する。また、受信部１６は、例えば、浴室２の外側において、さらに浴室機器１２の金属を含む筐体の外側に設けられる。例えば、浴室機器１２の筐体が、樹脂などの電波を透過可能な材料で形成されている場合などには、浴室２の外側に設置された浴室機器１２の内部に受信部１６を設けてもよい。受信部１６は、制御部１８と接続されている。受信部１６は、遠隔リモコン１４から送信された電波を受信すると、その電波に含まれる無線信号の制御信号を電気信号の制御信号に変換し、変換後の制御信号を制御部１８に入力する。
【００４１】
受信部１６は、例えば、浴室２の壁よりも上方に配置される。換言すれば、受信部１６は、浴室２の天井の上に配置される。但し、受信部１６の位置は、これに限ることなく、金属を含む浴室２や各浴室機器１２の影響を受けることなく遠隔リモコン１４からの信号を受信することができる任意の位置でよい。
【００４２】
制御部１８は、受信部１６から制御信号を受け、遠隔リモコン１４からの制御信号に基づいて、各浴室機器１２の動作を制御する。これにより、使用者の遠隔リモコン１４の操作に基づいて、各浴室機器１２が動作する。
【００４３】
この例において、制御部１８は、各浴室機器１２及び受信部１６と別体に設けられている。制御部１８は、例えば、各浴室機器１２及び受信部１６と有線を介して接続されることにより、受信部１６から制御信号を受け、制御信号に基づいて各浴室機器１２の動作を制御する。制御部１８は、例えば、受信部１６と同様に、浴室２の天井の上に配置される。但し、制御部１８の位置は、これに限ることなく、浴室２又は洗面所４の任意の位置でよい。
【００４４】
なお、制御部１８の構成は、上記に限定されるものではない。制御部１８は、例えば、各浴室機器１２のいずれかと一体的に設けてもよいし、受信部１６と一体的に設けてもよい。例えば、制御部１８が浴室機器１２に一体的に組み込まれている場合には、制御部１８は、浴室機器１２を介して受信部１６から制御信号を受けてもよい。このように、制御部１８は、受信部１６から直接的に制御信号を受ける構成でもよいし、他の機器などを介して受信部１６からの制御信号を受ける構成でもよい。
【００４５】
また、浴室システム１０は、例えば、各浴室機器１２のそれぞれに対応した複数の制御部１８を有してもよい。この場合、受信部１６は、複数の制御部１８のそれぞれに遠隔リモコン１４の制御信号を入力してもよいし、複数の制御部１８のいずれか１つのみに遠隔リモコン１４の制御信号を入力してもよい。
【００４６】
電波通信には、例えば、３００メガヘルツ（ＭＨｚ）以上５ギガヘルツ（ＧＨｚ）以下程度の周波数帯域の電波が用いられる。遠隔リモコン１４と受信部１６との間の電波通信には、例えば２．４ＧＨｚの電波が用いられる。受信部１６と制御部１８との間の通信は、有線通信であっても無線通信（例えば電波通信）であってもよい。制御部１８とその他の浴室機器１２との間の通信は、有線通信であっても無線通信（例えば電波通信）であってもよい。
【００４７】
有線リモコン２０は、制御部１８と有線接続される。有線リモコン２０は、例えば、浴室２内の壁面又は洗面所４内の壁面に設けられる。有線リモコン２０は、各浴室機器１２を動作させるための制御信号を制御部１８に送信する。例えば、浴室システム１０が、各浴室機器１２のそれぞれに対応した複数の制御部１８を有する場合などには、浴室システム１０は、各浴室機器１２及び各制御部１８のそれぞれに対応した複数の有線リモコン２０を有してもよい。有線リモコン２０は、例えば、浴室機器１２などを介して制御部１８と有線接続してもよい。
【００４８】
制御部１８は、遠隔リモコン１４からの制御信号に基づいて各浴室機器１２の動作を制御するとともに、有線リモコン２０からの制御信号によっても、各浴室機器１２の動作を制御する。これにより、浴室システム１０では、使用者がリビングなどにいる場合には、遠隔リモコン１４を操作することによって各浴室機器１２の動作を操作することができ、使用者が浴室２又は洗面所４にいる場合には、有線リモコン２０を操作することによって各浴室機器１２の動作を操作することができる。例えば、複数の浴室機器１２のうちの１つに対応させて有線リモコン２０を設け、１つの浴室機器１２のみを有線リモコン２０で操作し、他の浴室機器１２を遠隔リモコン１４で操作する構成などとしてもよい。
【００４９】
有線リモコン２０は、報知部５０と、操作部５２と、を有する。報知部５０は、使用者などに対して種々の報知を行う。報知部５０は、例えば、液晶ディスプレイなどの表示装置である。報知部５０は、例えば、光によって報知を行う発光素子や、音声によって報知を行うスピーカなどでもよい。報知部５０は、使用者などに対して所定の報知を行うことが可能な任意の部材でよい。
【００５０】
操作部５２は、使用者などからの操作を受け付ける。使用者は、有線リモコン２０の操作部５２を操作することにより、各浴室機器１２の動作を操作することができる。操作部５２は、複数のボタンやスイッチなどで構成してもよいし、タッチパネルなどで構成してもよい。報知部５０に表示装置を用い、操作部５２にタッチパネルを用いる場合には、これらを一体的に構成してもよい。操作部５２は、各浴室機器１２の種々の動作を制御可能な任意の構成でよい。
【００５１】
電波を用いて通信を行う遠隔リモコン１４では、例えば、隣人宅の別の遠隔リモコン１４などから送信された制御信号による誤動作を抑制するために、遠隔リモコン１４と制御部１８とを相互に関連付けるペアリングと呼ばれる作業を行う必要がある。
【００５２】
遠隔リモコン１４は、ペアリングを行うためのペアリング信号を送信可能である。遠隔リモコン１４は、例えば、操作部４０において所定の操作が行われることにより、ペアリング信号を送信する。ペアリング信号は、例えば、遠隔リモコン１４を識別するための識別情報を含む。
【００５３】
制御部１８は、受信部１６が遠隔リモコン１４からのペアリング信号を受信した際に、有線リモコン２０の報知部５０にペアリングを認可するか否かを報知させる。例えば、報知部５０が表示装置である場合、報知部５０は、ペアリングを認可するか否かを使用者に問い合わせる文字列などを表示することによって、報知を行う。また、この際、報知部５０は、例えば、ペアリング信号に含まれる識別情報を表示することなどにより、ペアリング信号の送信元の遠隔リモコン１４を使用者が識別できるようにする。報知部５０は、例えば、ペアリングを認可するか否かを報知するとともに、送信元の遠隔リモコン１４を識別するための識別情報を報知する。これにより、受信したペアリング信号が、所望の遠隔リモコン１４から送信されたペアリング信号であるか否かを使用者（ペアリング作業の作業者）に判断させることができる。
【００５４】
そして、制御部１８は、有線リモコン２０の報知部５０に報知を行わせた後、有線リモコン２０の操作部５２の操作に応じてペアリングの可否を決定する。制御部１８は、有線リモコン２０の操作部５２によってペアリングの許可が操作された場合に、ペアリング信号に含まれる識別情報を記憶する。これにより、制御部１８と遠隔リモコン１４とのペアリングが行われる。
【００５５】
制御部１８は、ペアリングされた遠隔リモコン１４からの制御信号のみを受け付ける。遠隔リモコン１４は、制御信号にも自身の識別情報を含める。制御部１８は、制御信号に含まれる識別信号と記憶した識別情報とが一致する場合にのみ、その制御信号を受け付ける。これにより、隣人宅の別の遠隔リモコン１４からの制御信号などによる誤動作を抑制することができる。
【００５６】
図３は、第１の実施形態に係る浴室システムの動作を模式的に表すフローチャートである。  
浴室システム１０において遠隔リモコン１４と制御部１８とをペアリングする場合には、まず、遠隔リモコン１４の操作部４０で所定の操作を行うことにより、遠隔リモコン１４からペアリング信号を送信する。
【００５７】
制御部１８は、受信部１６がペアリング信号を受信したか否かを判断する（図３のステップＳ１０１）。
【００５８】
制御部１８は、受信部１６からペアリング信号を入力されると、有線リモコン２０の報知部５０にペアリングを認可するか否かを報知させる（図３のステップＳ１０２）。そして、制御部１８は、有線リモコン２０の操作部５２の操作に基づいて、ペアリングしたい所望の遠隔リモコン１４であるか否かを判断する（図３のステップＳ１０３）。
【００５９】
制御部１８は、有線リモコン２０の操作部５２によってペアリングの許可が操作された場合、ペアリング信号を送信した遠隔リモコン１４とのペアリングを行う（図３のステップＳ１０４）。制御部１８は、例えば、ペアリング信号に含まれる識別情報を記憶することにより、ペアリングを行う。
【００６０】
一方、制御部１８は、有線リモコン２０の操作部５２によってペアリングの拒否が操作された場合、ペアリング信号を送信した遠隔リモコン１４とのペアリングを行わずに処理を終了する（図３のステップＳ１０５）。
【００６１】
以上、説明したように、本実施形態に係る浴室システム１０では、制御部１８が、受信部１６が遠隔リモコン１４からのペアリング信号を受信した際に、有線リモコン２０にペアリングを認可するか否かを報知させる。これにより、意図しない遠隔リモコン１４などとのペアリングを抑制でき、所望の遠隔リモコン１４とのペアリングを確実に行うことができる。
【００６２】
また、浴室システム１０では、有線リモコン２０の操作に応じてペアリングの可否を決定することにより、意図しない遠隔リモコン１４などとのペアリングをより確実に抑制することができる。
【００６３】
（第２の実施形態）  
図４は、第２の実施形態に係る浴室システムの動作を模式的に表すフローチャートである。  
なお、上記実施形態と機能・構成上実質的に同じものについては、同符号を付し、詳細な説明は、省略する。  
図４に表したように、この例においては、まず、上記第１の実施形態と同様に、制御部１８が、受信部１６がペアリング信号を受信したか否かを判断する（図４のステップＳ２０１）。また、この際、受信部１６は、受信したペアリング信号の電波強度の情報を、ペアリング信号と合わせて制御部１８に入力する。受信部１６は、ペアリング信号の電波強度を検知可能であり、検知した電波強度の情報を制御部１８に入力する。
【００６４】
制御部１８は、ペアリング信号を入力されると、受信したペアリング信号の電波強度が所定の基準閾値以上か否かを判定する（図４のステップＳ２０２）。
【００６５】
制御部１８は、受信したペアリング信号の電波強度が基準閾値よりも高い場合に、上記第１の実施形態と同様に、有線リモコン２０の報知部５０にペアリングを認可するか否かを報知させ、有線リモコン２０の操作部５２の操作に応じてペアリングの可否を決定する（図４のステップＳ２０３〜Ｓ２０６）。
【００６６】
一方、制御部１８は、受信したペアリング信号の電波強度が基準閾値よりも低い場合、有線リモコン２０の報知部５０によるペアリングを認可するか否かの報知を行わずに、処理を終了する（図４のステップＳ２０７）。従って、受信したペアリング信号の電波強度が基準閾値よりも低い場合には、ペアリング信号を送信した遠隔リモコン１４とのペアリングも行われない。
【００６７】
以上、説明したように、本実施形態に係る浴室システム１０では、制御部１８が、受信したペアリング信号の電波強度が所定の基準閾値よりも高い場合に、有線リモコン２０にペアリングを認可するか否かを報知させる。これにより、電波強度の弱いペアリング信号による意図しないペアリングを抑制でき、所望の遠隔リモコン１４とのペアリングをより確実に行うことができる。
【００６８】
（第３の実施形態）  
図５は、第３の実施形態に係る浴室システムの動作を模式的に表すフローチャートである。  
図５において、ステップＳ３０１〜Ｓ３０７の処理は、図４に関して説明したステップＳ２０１〜Ｓ２０７の処理と実質的に同じであるから、詳細な説明は省略する。
【００６９】
図５に表したように、この例において、制御部１８は、有線リモコン２０の操作部５２によってペアリングの拒否が操作された場合に、ペアリング信号を送信した遠隔リモコン１４とのペアリングを行わないようにするとともに、ペアリングを連続して拒否した回数が、所定回数以上か否かを判定する（図５のステップＳ３０８）。
【００７０】
制御部１８は、所定回数未満と判定した場合、ペアリングを行うことなくステップＳ３０１の処理に戻り、次のペアリング信号の送信を待機する。
【００７１】
一方、制御部１８は、所定回数以上と判定した場合、基準閾値を基準閾値よりも高い上側閾値に変更する（図５のステップＳ３０９）。すなわち、制御部１８は、有線リモコン２０の操作部５２の操作によってペアリングを拒否したペアリング信号を連続して複数回受信した場合に、基準閾値よりも高い上側閾値に変更し、処理を終了する。
【００７２】
閾値を基準閾値から上側閾値に変更した場合、制御部１８は、次に送信されたペアリング信号に対し、上側閾値を用い、受信したペアリング信号の電波強度が上側閾値以上か否かを判定する。すなわち、図５のステップＳ３０２の判定において、基準閾値を上側閾値に変更する。
【００７３】
制御部１８は、受信したペアリング信号の電波強度が上側閾値よりも高い場合に、有線リモコン２０の報知部５０にペアリングを認可するか否かを報知させ、有線リモコン２０の操作部５２の操作に応じてペアリングの可否を決定する。
【００７４】
そして、制御部１８は、受信したペアリング信号の電波強度が上側閾値よりも低い場合に、有線リモコン２０の報知部５０によるペアリングを認可するか否かの報知を行わずに、処理を終了する。
【００７５】
以上、説明したように、本実施形態に係る浴室システム１０では、有線リモコン２０の操作によってペアリングを拒否したペアリング信号を連続して複数回受信した場合に、基準閾値よりも高い上側閾値に変更する。
【００７６】
電波強度が基準閾値を超えた場合に、ペアリングを認可するか否かを報知するが、ペアリングすべきではない遠隔リモコン１４の結果を報知し、使用者に拒否させることは、使用者の手間になってしまう。これに対して、本実施形態に係る浴室システム１０では、上記のように、基準閾値から上側閾値に変更することにより、閾値よりも高いと判定されて報知が行われる頻度を低下させ、使用者に拒否の操作をさせる手間を抑制することができる。
【００７７】
（第４の実施形態）  
図６は、第４の実施形態に係る浴室システムの動作を模式的に表すフローチャートである。  
図６において、ステップＳ４０１〜Ｓ４０８の処理は、図５に関して説明したステップＳ３０１〜Ｓ３０６、Ｓ３０８、Ｓ３０９の処理と実質的に同じであるから、詳細な説明は省略する。
【００７８】
図６に表したように、この例において、制御部１８は、受信したペアリング信号の電波強度が基準閾値よりも低い場合に、基準閾値未満のペアリング信号を同じ遠隔リモコン１４から連続して受信した回数が、所定回数以上か否かを判定する（図６のステップＳ４０９）。
【００７９】
制御部１８は、所定回数以上と判定した場合、基準閾値を基準閾値よりも低い下側閾値に変更する（図６のステップＳ４１０）。すなわち、制御部１８は、基準閾値よりも低い電波強度のペアリング信号を同じ遠隔リモコン１４から連続して複数回受信した場合に、基準閾値よりも低い下側閾値に変更する。そして、制御部１８は、有線リモコン２０の報知部５０によるペアリングを認可するか否かの報知を行わずに、処理を終了する。
【００８０】
制御部１８は、基準閾値未満のペアリング信号を同じ遠隔リモコン１４から連続して受信した回数が、所定回数未満であると判定した場合、有線リモコン２０の報知部５０によるペアリングを認可するか否かの報知を行わずに、ステップＳ４０１の処理に戻り、次のペアリング信号の送信を待機する（図６のステップＳ４１１）。
【００８１】
閾値を基準閾値から下側閾値に変更した場合、制御部１８は、次に送信されたペアリング信号に対し、下側閾値を用い、受信したペアリング信号の電波強度が下側閾値以上か否かを判定する。すなわち、図６のステップＳ４０２の判定において、基準閾値を下側閾値に変更する。
【００８２】
制御部１８は、受信したペアリング信号の電波強度が下側閾値よりも高い場合に、有線リモコン２０の報知部５０にペアリングを認可するか否かを報知させ、有線リモコン２０の操作部５２の操作に応じてペアリングの可否を決定する。
【００８３】
そして、制御部１８は、受信したペアリング信号の電波強度が下側閾値よりも低い場合に、有線リモコン２０の報知部５０によるペアリングを認可するか否かの報知を行わずに、処理を終了する。
【００８４】
以上、説明したように、本実施形態に係る浴室システム１０では、基準閾値よりも低い電波強度のペアリング信号を同じ遠隔リモコン１４から連続して複数回受信した場合に、基準閾値よりも低い下側閾値に変更する。
【００８５】
遠隔リモコン１４の電波強度は、使用環境に依存する。そのため、遠隔リモコン１４の電波強度が基準閾値を超えない環境である可能性も考えられる。この浴室システム１０によれば、上記のように下側閾値に変更することにより、ペアリングしたいのにペアリングできない状態が継続されてしまうことを抑制することができる。
【００８６】
（第５の実施形態）  
図７は、第５の実施形態に係る浴室システムを模式的に表すブロック図である。  
図７に表したように、この例では、制御部１８が、記憶部６０を有する。なお、記憶部６０は、図示のように制御部１８に一体的に設けてもよいし、制御部１８と別に設け、制御部１８と接続してもよい。記憶部６０は、制御部１８による情報の書き込み及び情報の読み出しが可能な任意の構成でよい。
【００８７】
記憶部６０は、基準閾値設定情報６１と、上側閾値設定情報６２と、下側閾値設定情報６３と、を有する。基準閾値設定情報６１は、上記各実施形態で説明した基準閾値の値を記憶する。上側閾値設定情報６２は、図５及び図６に関して説明した上側閾値の値を記憶する。下側閾値設定情報６３と、図６に関して説明した下側閾値の値を記憶する。
【００８８】
制御部１８は、有線リモコン２０の操作部５２の操作に応じて基準閾値の値を変更する。制御部１８は、例えば、有線リモコン２０の操作部５２の操作に応じて基準閾値設定情報６１に記憶された基準閾値の値を書き換えることにより、基準閾値の値を変更する。
【００８９】
また、制御部１８は、有線リモコン２０の操作部５２の操作に応じて上側閾値の値を変更する。制御部１８は、例えば、有線リモコン２０の操作部５２の操作に応じて上側閾値設定情報６２に記憶された上側閾値の値を書き換えることにより、上側閾値の値を変更する。さらに、制御部１８は、有線リモコン２０の操作部５２の操作に応じて下側閾値の値を変更する。制御部１８は、例えば、有線リモコン２０の操作部５２の操作に応じて下側閾値設定情報６３に記憶された下側閾値の値を書き換えることにより、下側閾値の値を変更する。
【００９０】
以上、説明したように、本実施形態に係る浴室システム１０では、制御部１８が、基準閾値及び上側閾値の値を、有線リモコン２０の操作に応じて変更可能である。これにより、例えば、意図しない遠隔リモコン１４から送信されたペアリング信号によって、ペアリングを許可するか否かの報知が行われてしまう場合に、有線リモコン２０を操作し、上側閾値の値をより高くすることによって、意図しない報知が繰り返し行われてしまうことを、より確実に抑制することができる。使用者に拒否の操作をさせる手間をより確実に抑制することができる。
【００９１】
また、本実施形態に係る浴室システム１０では、制御部１８が、基準閾値及び下側閾値の値を、有線リモコン２０の操作に応じて変更可能である。これにより、例えば、使用環境の影響などによって、ペアリングしたいにも関わらず閾値未満と判定されてしまう場合に、有線リモコン２０を操作し、下側閾値の値をより低くすることによって、ペアリングしたいのにペアリングできない状態が継続されてしまうことをより確実に抑制することができる。
【００９２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９３】
２ 浴室、  ４ 洗面所、  ６ 浴室部、  ８ 洗面室部、  １０ 浴室システム、  １２ 浴室機器、  １４ 遠隔リモコン、  １６ 受信部、  １８ 制御部、  ２０ 有線リモコン、  ３０ 浴室空調機器、  ３１ 掃除機器、  ３２ 給湯器、  ３３ 排水栓、  ３４ 照明、  ３５ マッサージ機器、  ３６ 洗面所空調機器、  ４０ 操作部、  ５０ 報知部、  ５２ 操作部、  ６０ 記憶部、  ６１ 基準閾値設定情報、  ６２ 上側閾値設定情報、  ６３ 下側閾値設定情報
【図１】
2020017852.tif 000003
【図２】
2020017852.tif 000004
【図３】
2020017852.tif 000005
【図４】
2020017852.tif 000006
【図５】
2020017852.tif 000007
【図６】
2020017852.tif 000008
【図７】
2020017852.tif 000009